(57)【要約】【課題】オイルミストおよび塵挨を効率よく排除する。【解決手段】映像表示装置は、映像処理部、空冷ファン、フィルタおよび冷却用ダクトを備える。映像処理部は、映像信号を生成して表示する。空冷ファンは、冷却風を発生させて映像処理部を冷却する。フィルタは、空冷ファンの吸気側に配置されて塵挨を除去する。冷却用ダクトは、冷却風の通風路であり、通風路の出口端部に形成された突出部と、通風壁とによって、下流の位置に窪んだ湾部が設けられる。冷却用ダクトに設けられた湾部は、空冷ファンが発生する冷却風によって通風壁に寄せられた、オイルミストと、フィルタで除去しきれなかった塵挨とを捕捉する。【選択図】図１
2013235188.tif 000002
【特許請求の範囲】
【請求項１】
映像信号を生成して表示する映像処理部と、
冷却風を発生させて前記映像処理部を冷却する空冷ファンと、
前記空冷ファンの吸気側に配置されて塵挨を除去するフィルタと、
前記冷却風の出口端部に設けられた突出部により形成される窪み部分である湾部を備え、前記冷却風の通風路となる冷却用ダクトと、
を有する映像表示装置。
【請求項２】
前記湾部は、前記冷却風によって通風壁に寄せられた、オイルミストと前記フィルタで除去しきれなかった塵挨とを捕捉する請求項１記載の映像表示装置。
【請求項３】
前記突出部は、一端が通風壁に対して鋭角をなして接続し、他端が前記冷却風の上流側に向けられて形成され、前記湾部は、前記突出部と前記通風壁の間に形成される請求項１記載の映像表示装置。
【請求項４】
前記突出部は、第１の一端が通風壁に対して鋭角をなして接続し、第１の他端が前記冷却風の上流側に向けられて形成された第１の突出部材と、前記第１の他端に第２の一端が接続し、第２の他端が前記冷却風の上流側に向けられ、前記通風壁に平行に形成された第２の突出部材とを含み、前記湾部は、前記第１の突出部材と前記通風壁の間と、前記第１および第２の突出部材の間とに形成される請求項１記載の映像表示装置。
【請求項５】
前記突出部は、一端が通風壁に対して直角に接続し、前記一端と他端との間の部材面が階段状に形成され、前記湾部は、前記階段状の部材面の窪み部分に形成される請求項１記載の映像表示装置。
【請求項６】
前記突出部は、第１の一端が通風壁に対して直角をなして接続し、第１の他端が前記通風壁に対して垂直に向けられて形成された第１の突出部材と、前記第１の他端に第２の一端が接続し、第２の他端が前記冷却風の上流側に向けられ、前記通風壁に平行に形成された第２の突出部材とを含み、前記湾部は、前記第１の突出部材と前記通風壁の間と、前記第１および第２の突出部材の間とに形成される請求項１記載の映像表示装置。
【請求項７】
前記突出部は、一端が通風壁に対して直角に接続し、一端と他端との間の部材面に対して、前記冷却風の上流に向かって単一の凸状面が形成され、前記湾部は、前記突出部と前記通風壁の間と、前記部材面の窪み部分とに形成される請求項１記載の映像表示装置。
【請求項８】
前記突出部は、一端が通風壁に対して直角に接続し、前記一端と他端との間の部材面に複数の凹凸面が形成され、前記湾部は、前記突出部と前記通風壁の間と、前記部材面の窪み部分とに形成される請求項１記載の映像表示装置。
【請求項９】
前記突出部は、第１の一端が通風壁に対して鈍角をなして接続し、第１の他端が前記冷却風の下流側に向けられて形成された第１の突出部材と、前記第１の他端に第２の一端が接続し、第２の他端が前記冷却風の上流側に向けられ、前記通風壁に平行に形成された第２の突出部材とを含み、前記湾部は、前記第１の突出部材と前記通風壁の間と、前記第１および第２の突出部材の間とに形成される請求項１記載の映像表示装置。
【請求項１０】
前記突出部は、第１の一端が通風壁に対して鈍角をなして接続し、第１の他端が前記冷却風の下流側に向けられて形成された第１の突出部材と、前記第１の他端に第２の一端が直角以上の角度をなして接続し、第２の他端が前記冷却風の上流側に向けられ、前記通風壁に非平行に形成された第２の突出部材とを含み、前記湾部は、前記第１の突出部材と前記通風壁の間と、前記第１および第２の突出部材の間とに形成される請求項１記載の映像表示装置。
【請求項１１】
前記突出部は、第１の一端が通風壁に対して直角をなして接続し、第１の他端が前記冷却風の下流側に向けられ、前記第１の一端と前記第１の他端との間の部材面が階段状に形成された第１の突出部材と、前記第１の他端に第２の一端が直角をなして接続し、前記第２の一端と第２の他端との間の部材面が階段状に形成された第２の突出部材とを含み、前記湾部は、前記階段状の部材面の窪み部分に形成される請求項１記載の映像表示装置。
【請求項１２】
前記空冷ファンは、軸流型のファンである請求項１記載の映像表示装置。
【請求項１３】
冷却風の出口端部に設けられる突出部と、
前記突出部により形成される窪み部分であって、前記冷却風によって通風壁に寄せられた、オイルミストと塵挨とを捕捉する湾部と、
を有して前記冷却風の通風路となる冷却用ダクト。
【発明の詳細な説明】
【技術分野】
【０００１】
本技術は、映像表示を行う映像表示装置および冷却風の導管である冷却用ダクトに関する。
【背景技術】
【０００２】
プロジェクタ装置は、光源からの光を液晶パネル（液晶ライトバルブ）に照射し、液晶パネルを透過した光を、投射レンズによりスクリーンに投射して映像を表示する装置である。
【０００３】
このようなプロジェクタ装置では、光源の熱により、液晶パネルや各種光学部品が高温になる。このため、例えば、ファンを使用して、装置筐体内に外気を取り込んで冷却すること等が行われている。
【０００４】
ファンによって外気を筐体内に取り込んで冷却する方法では、外気の取り込みと同時に塵埃も取り込んでしまい、液晶パネルおよび各種の光学部品に塵埃が付着してしまう場合がある。
【０００５】
塵埃が取り込まれると、塵埃が液晶パネルの透過光を遮ったり、あるいは乱反射させたりすることになり、画像に染みや滲みを生じさせる。そこで、塵埃除去用の防塵フィルタを備える技術が提案されている。
【先行技術文献】
【特許文献】
【０００６】
【特許文献１】特開２００８−２６８６２６号公報
【特許文献２】特開２００７−２５６８９９号公報
【特許文献３】特開２０１１−１２３１７７号公報
【発明の概要】
【発明が解決しようとする課題】
【０００７】
近年、映画館のデジタル上映化が進むにつれ、デジタルシネマを上映するための上記プロジェクタ装置において、映像品質問題（経時により上映時の輝度が低下する等の事象）が顕在化してきた。
【０００８】
液晶パネルおよび各種光学部品に付着堆積した物質を調査したところ、上記塵埃の他、映画館内の調理施設より発生したオイルミストに起因すると思われる調理油成分が含まれていることが判明した。
【０００９】
このオイルミストは、防塵フィルタの目より細かいため、防塵フィルタを通過し、空気の流れの下流に位置する液晶パネルおよび各種の光学部品に衝突し、付着堆積してしまう。また、いったん堆積したオイルミストは、塵埃を取り込んで保持する性質を有しており、さらなる塵埃の堆積を誘発するおそれがある。
【００１０】
空気中の浮遊オイルミストから機器部品を保護するために、重厚なエアフィルタを搭載して防ぐ手段も考えられるが、浮遊オイルミストをすべて取り除くことはできず、また、フィルタを重厚にすることでコストアップ要因にもなっていた。
【００１１】
本技術はこのような点に鑑みてなされたものであり、オイルミストおよび塵挨を効率よく排除する映像表示装置および冷却用ダクトを提供することを目的とする。
【課題を解決するための手段】
【００１２】
上記課題を解決するために、映像表示装置が提供される。映像表示装置は、映像処理部、空冷ファン、フィルタおよび冷却用ダクトを備える。映像処理部は、映像信号を生成して表示する。空冷ファンは、冷却風を発生させて映像処理部を冷却する。フィルタは、空冷ファンの吸気側に配置されて塵挨を除去する。冷却用ダクトは、冷却風の通風路であり、冷却風の出口端部に設けられた突出部により形成される窪み部分である湾部を備える。
【発明の効果】
【００１３】
オイルミストおよび塵挨を効率よく排除することが可能になる。
【図面の簡単な説明】
【００１４】
【図１】映像表示装置の構成例を示す図である。
【図２】映像表示装置の全体構成例を示す図である。
【図３】冷却構造を示す図である。
【図４】冷却構造を示す図である。
【図５】冷却用ダクトの構成例を示す図である。
【図６】冷却用ダクトの構成例を示す図である。
【図７】冷却用ダクトの構成例を示す図である。
【図８】冷却用ダクトの構成例を示す図である。
【図９】冷却用ダクトの構成例を示す図である。
【図１０】冷却用ダクトの構成例を示す図である。
【図１１】冷却用ダクトの構成例を示す図である。
【図１２】冷却用ダクトの構成例を示す図である。
【図１３】冷却用ダクトの構成例を示す図である。
【図１４】反射型ＬＣＤ方式プロジェクタの光学ユニット構成例を示す図である。
【発明を実施するための形態】
【００１５】
以下、実施の形態を図面を参照して説明する。図１は映像表示装置の構成例を示す図である。映像表示装置１は、投射型の映像表示を行う装置であって、映像処理部１０、空冷ファン２１、フィルタ２２および冷却用ダクト３０を備える。
【００１６】
映像処理部１０は、映像信号を生成して表示する機能部であって、例えば、装置内の光学系に該当する。空冷ファン２１は、冷却風を発生させて映像処理部１０を冷却する。
【００１７】
フィルタ２２は、空冷ファン２１の吸気側に配置されて塵挨を除去する。冷却用ダクト３０は、冷却風の通風路であって、冷却風の出口端部に設けられた突出部３１により形成される窪み部分である湾部３３を備える。
【００１８】
ここで、空冷ファン２１が発生する冷却風によって、空気中に浮遊しているオイルミストと、フィルタで除去しきれなかった塵挨とは、冷却用ダクト３０の通風壁３２に寄せられる。
【００１９】
図１に示す冷却用ダクト３０は、冷却風の出口端部に設けられた突出部３１と、通風壁３２とによって形成される、窪んだ湾部３３を備えており、通風壁３２に寄せられたオイルミストおよび塵挨は、この湾部３３に堆積して捕捉されることになる。
【００２０】
次に映像表示装置１の全体構成について説明する。図２は映像表示装置の全体構成例を示す図である。映像表示装置１は、映像処理部１０（光学系）として、光源１１、光学ユニット１２、液晶パネル１３−１〜１３−３、色合成プリズム（クロスダイクロイックプリズム）１４および投射レンズ１５を備える。
【００２１】
光源１１は、白色光を出射し、光学ユニット１２は、白色光をＲ（赤）、Ｇ（緑）、Ｂ（青）に分離する。液晶パネル１３−１〜１３−３は、Ｒ、Ｇ、Ｂそれぞれの光で映像を生成する。色合成プリズム１４は、映像生成後のＲＧＢを合成する。投射レンズ１５は、色合成プリズム１４からの出射光をスクリーンに投射する。なお、光学系の具体的な構成および動作については図１４で後述する。
【００２２】
一方、これら各部品の近傍には、空冷ファン２１−１〜２１−３が配置される。空冷ファン２１−１〜２１−３は、外部から空気を取り込み、冷却風を発生させる。空冷ファン２１−１は、光源１１を冷却し、空冷ファン２１−２は、光学ユニット１２を冷却し、空冷ファン２１−３は、液晶パネル１３−１〜１３−３を冷却する。
【００２３】
なお、図では１台毎の空冷ファンを示しているが、必要に応じて複数台の空冷ファンが配置される（例えば、光学ユニット１２は、部品数が多いので、光学ユニット１２に対する空冷ファンは、通常、複数台配置される）。
【００２４】
フィルタ２２−１〜２２−３は、空冷ファン２１−１〜２１−３の通風路の上流側（吸気側）に配置され、空冷ファン２１−１〜２１−３の吸気を濾過して塵挨を除去する。なお、図示していないが、空冷ファン２１−１〜２１−３からの冷却風を冷却対象に導くための導管である冷却用ダクトが装置内に設けられている。
【００２５】
本技術の冷却用ダクトは、後述するように、冷却風の下流側に窪む湾部（凹部）３３が設けられて、オイルミストおよび塵挨を防ぐ構造を有しており、装置内の光学系の部品に対して、浮遊オイルミストおよび塵挨の付着を防ぐことができる。
【００２６】
ここで、空冷ファン２１としては、軸流型のファンを使用することが好ましい。空気中に浮遊するオイルは、装置に入り込む際に、まず、フィルタ２２である程度はカットすることができるが、フィルタ２２を通りぬけた、気化状のオイルは、空冷ファン２１による空冷によって液化する。
【００２７】
このとき、シロッコファンよりも軸流ファンを使用した方が液化する割合を抑えることができる。これはシロッコファンの方が、ファンハウジングが大きいため、衝突面が多くなることが原因である。
【００２８】
また、軸流型の空冷ファン２１を使用することで、冷却風の気流は放射状となる。このため、オイルミストおよび塵挨は、遠心力により、軸方向中心部よりも軸方向外周部に局在化する。
【００２９】
したがって、軸方向外周部に局在化したオイルミストや塵挨を、突出部３１に衝突・堆積させることで、効率よく湾部３３で捕捉することができる。そして、相対的にオイルミスト濃度の低い軸方向中心部の空気を、ダクト出口の開口部より下流に位置する映像処理部（被冷却部）１０に送ることができる。
【００３０】
次に冷却用ダクト３０について説明する。まず、従来の冷却用ダクトについて説明する。図３は冷却構造を示す図である。オイルミストおよび塵挨の排除機構を備えていない従来の冷却用ダクト３００を示している。
【００３１】
空気中に浮遊するオイルは、装置に入り込む際に、まず、フィルタ２２ａによって、ある程度はカットできるが、フィルタ２２ａを通りぬけた、気化状のオイルは、空冷ファン２１ａによる空冷によって液化する。この液化したオイルが、冷却風によって冷却用ダクト３００内を飛ばされ、下流に位置する映像処理部（光学系）１０の各部品に付着することになる。
【００３２】
次に本技術の冷却用ダクト３０の動作について説明する。図４は冷却構造を示す図である。冷却用ダクト３０には、ダクト出口に対して、突出部（切り返し部）３１が設けられ、突出部３１と通風壁３２とにより形成された、下流方向にえぐれた湾部（ポケット）３３が設けられている。
【００３３】
空冷ファン２１の遠心力で寄せられたオイルミストや、空冷ファン２１の遠心力で寄せられ、フィルタ２２で除去しきれなかった塵埃は、ダクト出口に設けられた湾部３３で捕捉することができる。これにより、オイルミストや塵埃濃度の高い空気が、映像処理部（光学系）１０が位置する下流側に流れることを防止することが可能になる。
【００３４】
このように、映像表示装置１の冷却機構では、空気取り込み口から、空冷ファン（軸流ファン）２１によって吸いこまれた空気は、まず、フィルタ２２を通過することにより、多くの塵挨が除去される。
【００３５】
そして、オイルミストと、フィルタ２２によって除去しきれなかった塵挨とは、冷却用ダクト３０内を冷却風に乗って通過するが、空冷ファン２１の遠心分離によって通風壁３２（外周）に寄せられる。
【００３６】
そして、通風壁３２に寄せられたオイルミストや塵挨は、ダクト出口の湾部３３に衝突し、湾部３３内に堆積して捕捉される。これにより、光学系が位置する下流側へ、オイルミストおよび塵挨が流れることを効率よく抑制することが可能になる。
【００３７】
次に冷却用ダクト３０の構成例について説明する。図５〜図１３は冷却用ダクト３０の構成例を示す図である。図５の冷却用ダクト３０において、突出部３１は、一端が通風壁３２に対して鋭角をなして接続し、他端が冷却風の上流側に向けられて、通風路の出口（ダクトの出口）端部に形成される。湾部３３は、突出部３１と、通風壁３２とによって形成される窪んだ部分に形成される。
【００３８】
図６の冷却用ダクト３０−１において、突出部３１ａは、突出部材３１ａ−１、３１ａ−２を含む。突出部材３１ａ−１は、一端が通風壁３２に対して鋭角をなして接続し、他端が冷却風の上流側に向けられて形成された部材である。突出部材３１ａ−２は、突出部材３１ａ−１の他端に自己の一端が接続し、自己の他端が冷却風の上流側に向かって、通風壁３２に対して平行に設けられている部材である。
【００３９】
また、湾部３３ａ−１は、突出部材３１ａ−１と通風壁３２との間に形成され、湾部３３ａ−２は、突出部材３１ａ−１と突出部材３１ａ−２との間に形成される。
【００４０】
図７の冷却用ダクト３０−２において、突出部３１ｂは、一端が通風壁３２に対して直角に接続し、他端が冷却風の上流側に向けられて形成され、一端と他端との間の部材面が階段状に形成されている。また、湾部３３ｂ−１〜３３ｂ−４は、突出部３１ｂの階段状の部材面の窪み部分に形成される。
【００４１】
図８の冷却用ダクト３０−３において、突出部３１ｃは、突出部材３１ｃ−１、３１ｃ−２を含む。突出部材３１ｃ−１は、一端が通風壁３２に対して直角をなして接続し、他端が通風壁３２に対して垂直に向けられて形成された部材である。突出部材３１ｃ−２は、突出部材３１ｃ−１の他端に自己の一端が接続し、他端が冷却風の上流側に向かって、通風壁３２に対して平行に設けられた部材である。
【００４２】
また、湾部３３ｃ−１は、突出部材３１ｃ−１と通風壁３２との間に形成される。湾部３３ｃ−２は、突出部材３１ｃ−１と突出部材３１ｃ−２との間に形成される。
【００４３】
図９の冷却用ダクト３０−４において、突出部３１ｄは、一端が通風壁３２に対して直角に接続し、一端と他端との間の部材面に対して、冷却風の上流に向かって、単一の凸状面が形成されている。
【００４４】
また、湾部３３ｄ−１は、突出部３１ｄと通風壁３２の間に形成され、湾部３３ｄ−２、３３ｄ−３は、突出部３１ｄの部材面の窪み部分に形成される。
【００４５】
図１０の冷却用ダクト３０−５において、突出部３１ｅは、一端が通風壁３２に対して直角に接続し、一端と他端との間の部材面に複数の凹凸面が形成される。また、湾部３３ｅ−１は、突出部３１ｅと通風壁３２の間に形成され、湾部３３ｅ−２〜３３ｅ−１０は、突出部３１ｅの部材面の窪み部分に形成される。
【００４６】
図１１の冷却用ダクト３０−６において、突出部３１ｆは、突出部材３１ｆ−１、３１ｆ−２を含む。突出部材３１ｆ−１は、一端が通風壁３２に対して鈍角をなして接続し、他端が冷却風の下流側に向けられて形成された部材である。
【００４７】
突出部材３１ｆ−２は、突出部材３１ｆ−１の他端に自己の一端が接続し、自己の他端が冷却風の上流側に向かって、通風壁３２に対して平行に設けられた部材である。また、湾部３３ｆ−１は、突出部材３１ｆ−１と通風壁３２の間に形成される。湾部３３ｆ−２は、突出部材３１ｆ−１と突出部材３１ｆ−２の間に形成される。
【００４８】
図１２の冷却用ダクト３０−７において、突出部３１ｇは、突出部材３１ｇ−１、３１ｇ−２を含む。突出部材３１ｇ−１は、一端が通風壁３２に対して鈍角をなして接続し、他端が冷却風の下流側に向けられて形成された部材である。突出部材３１ｇ−２は、突出部材３１ｇ−１の他端に自己の一端が直角以上の角度をなして接続し、自己の他端が冷却風の上流側に向かって形成される部材である。
【００４９】
また、湾部３３ｇ−１は、突出部材３１ｇ−１と通風壁３２の間に形成される。湾部３３ｇ−２は、突出部材３１ｇ−１と突出部材３１ｇ−２の間に形成される。
【００５０】
図１３の冷却用ダクト３０−８において、突出部３１ｈは、突出部材３１ｈ−１、３１ｈ−２を含む。突出部材３１ｈ−１は、一端が通風壁３２に対して直角をなして接続し、他端が冷却風の下流側に向かい、一端と他端との間の部材面が階段状に形成される部材である。
【００５１】
突出部材３１ｈ−２は、突出部材３１ｈ−１の他端に対して、自己の一端が直角をなして接続し、自己の一端と他端との間の部材面が階段状に形成される部材である。また、湾部３３ｈ−１〜３３ｈ−７は、階段状の部材面の窪み部分に形成される。
【００５２】
上記に示した冷却用ダクトの構成は一例であって、その他の構成にすることもできる。また、上記では、突出部３１は直線形状で示したが、曲線形状で生成してもよい。なお、図７、図１０、図１３に示したように、突出部３１ｂ、３１ｅ、３１ｈに蛇腹状の凹凸面を設けることで、比表面積を大きくすることができ、オイルミストや塵挨を、より効果的に堆積させることが可能になる。
【００５３】
次に冷却用ダクト３０に追加可能な機能について説明する。冷却用ダクト３０は、使い捨て型とすることができる。この場合は、メンテナンスが容易となる。また、冷却用ダクト３０の湾部３３に対して、付着したオイルミストおよび塵挨の付着度合いが分かる仕組みを設けることができる。この場合は、交換時期が分かりやすくなる。
【００５４】
また、オイルミストが付着しやすい表面形状（液化の促進。油滴として成長しやすくする、オイルミストの表面張力を低下させる工夫）にすることができる。さらに、掃除しやすく、積極的に湾部３３に気流を集められる形状にすることができる。
【００５５】
さらに、湾部３３で捕捉したオイルを回収しやすくする仕組みにすることができる。例えば、オイルミストと逆極性の電荷を用いてオイルミストを引き寄せて捕捉する機器（電気集じん器）をダクト出口に設けてもよい。
【００５６】
次に映像表示装置１の映像処理部１０の一構成例として、反射型ＬＣＤ（Liquid Crystal Display）方式プロジェクタの光学ユニット構成例について説明する。図１４は反射型ＬＣＤ方式プロジェクタの光学ユニット構成例を示す図である。
【００５７】
反射型ＬＣＤ方式プロジェクタ２００において、光源２０１は、リフレクタ２０２の焦点位置に配置され、光源２０１から出射した白色光をリフレクタ２０２で反射して略平行光を生成する。ＵＶ／ＩＲ（Ultraviolet／Infrared Rays）カットフィルタ２１１は、略平行光を受光して紫外線および赤外線の通過を阻止する。なお、リフレクタ２０２は、パラボラ形状だけでなく、楕円形状等もある。
【００５８】
フライアイレンズ２１２−１、２１２−２は、光の照度を均一化し、ＰＳコンバータ（偏光変換素子）２１３は、Ｐ偏光／Ｓ偏光のランダム偏光の偏光方向を揃える。メインコンデンサレンズ２２１は、ＰＳコンバータ２１３で偏光方向が揃って均一化された白色照明光を集光する。
【００５９】
ダイクロイックミラー２２２は、赤色の波長領域の光ＬＲと、緑色および青色の波長領域の光ＬＧＢとを分離する。なお、ダイクロイックミラーは、赤色分離または青色分離のどちらの分離方式においても使用される。反射ミラー２２３は、ダイクロイックミラー２２２で分離された赤光ＬＲを反射する。
【００６０】
反射ミラー２２４は、ダイクロイックミラー２２２で分離された緑および青光ＬＧＢを反射する。ダイクロイックミラー２２５は、反射ミラー２２４で反射された光ＬＧＢのうち緑色の波長領域のみ反射し、青色の波長領域が透過する。
【００６１】
偏光板２２６Ｒは、反射ミラー２２３で反射されたＰ偏光である赤光ＬＲを透過して反射型液晶パネル２３０Ｒに入射させ、反射型液晶パネル２３０Ｒで空間変調され、Ｓ偏光に変換された赤光を反射して色合成プリズム２４０に入射させる。なお、色合成プリズム２４０のＲＧＢの入射面それぞれに偏光板が配置されてもよい。
【００６２】
また、ＳＳＳ方式時には、緑色光は色合成プリズム２４０にそのまま入射する。ＳＰＳ方式時には、色合成プリズム２４０の入射側に１／２波長板が配置され、緑色光はＰ偏光で色合成プリズム２４０に入射する。
【００６３】
偏光板２２６Ｇは、ダイクロイックミラー２２５で反射されたＰ偏光である緑光ＬＧを透過して反射型液晶パネル２３０Ｇに入射させ、反射型液晶パネル２３０Ｇで空間変調され、Ｓ偏光に変換された緑光を反射して色合成プリズム２４０に入射させる。
【００６４】
偏光板２２６Ｂは、ダイクロイックミラー２２５を透過したＰ偏光である青光ＬＢを透過して反射型液晶パネル２３０Ｂに入射させ、反射型液晶パネル２３０Ｂで空間変調され、Ｓ偏光に変換された青光を反射して色合成プリズム２４０に入射させる。なお、各偏光板２２６Ｒ、２２６Ｇ、２２６Ｂの入射側には、光学レンズ２２７〜２２９が配置される（光学レンズ２２８と偏光板２２６Ｇとの間にも偏光板が配置される場合がある）。
【００６５】
ここで、光源２０１より出力された白色光は、フライアイレンズ２１２−１、２１２−２により照度が均一化され、ＰＳコンバータ２１３により所定の偏光に揃えられる。そして、その出力光が、メインコンデンサレンズ２２１により反射型液晶パネル２３０Ｒ、２３０Ｇ、２３０Ｂを照射するように配向された後、色分離ミラーとしてのダイクロイックミラー２２２、２２５等により３つの波長帯域の光に分離される。
【００６６】
分離された各色光は、反射型偏光板に入射し、ある一方向の偏光方向の光のみが、偏光板２２６Ｒ、２２６Ｇ、２２６Ｂによって選択されて、反射型液晶パネル２３０Ｒ、２３０Ｇ、２３０Ｂに入射する。各反射型液晶パネル２３０Ｒ、２３０Ｇ、２３０Ｂには、ＲＧＢの光が入射することになる。
【００６７】
反射型液晶パネル２３０Ｒ、２３０Ｇ、２３０Ｂには入射光に対応した色の映像信号が印加され、映像信号に従い、入射光の偏光方向を回転させて変調出力する。液晶パネルから出射した被変調光は、再び偏光板２２６Ｒ、２２６Ｇ、２２６Ｂに入射する。
【００６８】
偏光板２２６Ｒ、２２６Ｇ、２２６Ｂに入射した偏光から９０度回転した偏光成分のみ選択され、色合成プリズム２４０に入射する。３枚の反射型液晶パネルにて変調された各色光は、色合成プリズム２４０において、同じ方向に合成されて出射される。色合成プリズム２４０からの出射合成光は、投影レンズ２５０により、スクリーン７に投影出力される。
【００６９】
なお、上記では、映像処理部１０の例として、反射型ＬＣＤ方式プロジェクタの構成について説明したが、透過型ＬＣＤ方式プロジェクタであってもよい。
【００７０】
以上説明したように、映像表示装置１は、冷却風の出口端部に設けられた突出部３１により形成される窪み部分である湾部３０を備える冷却用ダクト３０を有する構成とした。また、軸流型の空冷ファン２１を使用する構成とした。
【００７１】
これにより、冷却風の流れは一様ではなく、遠心力によって偏った流れとなり、また、冷却用ダクト３０には湾部３３が設けられていることで、流れの方向に対して湾部３３に、オイルミストや塵挨が堆積することになる。このため、オイルミストや塵挨を効率よく排除することができ、装置の内部部品に付着することを防ぐことが可能になる。
【００７２】
なお、本技術は以下のような構成も採ることができる。
（１）  映像信号を生成して表示する映像処理部と、
冷却風を発生させて前記映像処理部を冷却する空冷ファンと、
前記空冷ファンの吸気側に配置されて塵挨を除去するフィルタと、
前記冷却風の出口端部に設けられた突出部により形成される窪み部分である湾部を備え、前記冷却風の通風路となる冷却用ダクトと、
を有する映像表示装置。
（２）  前記湾部は、前記冷却風によって通風壁に寄せられた、オイルミストと前記フィルタで除去しきれなかった塵挨とを捕捉する前記（１）記載の映像表示装置。
（３）  前記突出部は、一端が通風壁に対して鋭角をなして接続し、他端が前記冷却風の上流側に向けられて形成され、前記湾部は、前記突出部と前記通風壁の間に形成される前記（１）または（２）記載の映像表示装置。
（４）  前記突出部は、第１の一端が通風壁に対して鋭角をなして接続し、第１の他端が前記冷却風の上流側に向けられて形成された第１の突出部材と、前記第１の他端に第２の一端が接続し、第２の他端が前記冷却風の上流側に向けられ、前記通風壁に平行に形成された第２の突出部材とを含み、前記湾部は、前記第１の突出部材と前記通風壁の間と、前記第１および第２の突出部材の間とに形成される前記（１）乃至（３）のいずれかに記載の映像表示装置。
（５）  前記突出部は、一端が通風壁に対して直角に接続し、前記一端と他端との間の部材面が階段状に形成され、前記湾部は、前記階段状の部材面の窪み部分に形成される前記（１）乃至（４）のいずれかに記載の映像表示装置。
（６）  前記突出部は、第１の一端が通風壁に対して直角をなして接続し、第１の他端が前記通風壁に対して垂直に向けられて形成された第１の突出部材と、前記第１の他端に第２の一端が接続し、第２の他端が前記冷却風の上流側に向けられ、前記通風壁に平行に形成された第２の突出部材とを含み、前記湾部は、前記第１の突出部材と前記通風壁の間と、前記第１および第２の突出部材の間とに形成される前記（１）乃至（５）のいずれかに記載の映像表示装置。
（７）  前記突出部は、一端が通風壁に対して直角に接続し、一端と他端との間の部材面に対して、前記冷却風の上流に向かって単一の凸状面が形成され、前記湾部は、前記突出部と前記通風壁の間と、前記部材面の窪み部分とに形成される前記（１）乃至（６）のいずれかに記載の映像表示装置。
（８）  前記突出部は、一端が通風壁に対して直角に接続し、前記一端と他端との間の部材面に複数の凹凸面が形成され、前記湾部は、前記突出部と前記通風壁の間と、前記部材面の窪み部分とに形成される前記（１）乃至（７）のいずれかに記載の映像表示装置。
（９）  前記突出部は、第１の一端が通風壁に対して鈍角をなして接続し、第１の他端が前記冷却風の下流側に向けられて形成された第１の突出部材と、前記第１の他端に第２の一端が接続し、第２の他端が前記冷却風の上流側に向けられ、前記通風壁に平行に形成された第２の突出部材とを含み、前記湾部は、前記第１の突出部材と前記通風壁の間と、前記第１および第２の突出部材の間とに形成される前記（１）乃至（８）のいずれかに記載の映像表示装置。
（１０）  前記突出部は、第１の一端が通風壁に対して鈍角をなして接続し、第１の他端が前記冷却風の下流側に向けられて形成された第１の突出部材と、前記第１の他端に第２の一端が直角以上の角度をなして接続し、第２の他端が前記冷却風の上流側に向けられ、前記通風壁に非平行に形成された第２の突出部材とを含み、前記湾部は、前記第１の突出部材と前記通風壁の間と、前記第１および第２の突出部材の間とに形成される前記（１）乃至（９）のいずれかに記載の映像表示装置。
（１１）  前記突出部は、第１の一端が通風壁に対して直角をなして接続し、第１の他端が前記冷却風の下流側に向けられ、前記第１の一端と前記第１の他端との間の部材面が階段状に形成された第１の突出部材と、前記第１の他端に第２の一端が直角をなして接続し、前記第２の一端と第２の他端との間の部材面が階段状に形成された第２の突出部材とを含み、前記湾部は、前記階段状の部材面の窪み部分に形成される前記（１）乃至（１０）のいずれかに記載の映像表示装置。
（１２）  前記空冷ファンは、軸流型のファンである前記（１）乃至（１１）のいずれかに記載の映像表示装置。
（１３）  冷却風の出口端部に設けられる突出部と、
前記突出部により形成される窪み部分であって、前記冷却風によって通風壁に寄せられた、オイルミストと塵挨とを捕捉する湾部と、
を有して前記冷却風の通風路となる冷却用ダクト。
【００７３】
なお、上述の実施の形態は、実施の形態の要旨を逸脱しない範囲内において種々の変更を加えることができる。
【００７４】
さらに、上述の実施の形態は、多数の変形、変更が当業者にとって可能であり、説明した正確な構成および応用例に限定されるものではない。
【符号の説明】
【００７５】
１……映像表示装置、１０……映像処理部、２１……空冷ファン、２２……フィルタ、３０……冷却用ダクト、３１……突出部、３２……通風壁、３３……湾部
【図１】
2013235188.tif 000003
【図２】
2013235188.tif 000004
【図３】
2013235188.tif 000005
【図４】
2013235188.tif 000006
【図５】
2013235188.tif 000007
【図６】
2013235188.tif 000008
【図７】
2013235188.tif 000009
【図８】
2013235188.tif 000010
【図９】
2013235188.tif 000011
【図１０】
2013235188.tif 000012
【図１１】
2013235188.tif 000013
【図１２】
2013235188.tif 000014
【図１３】
2013235188.tif 000015
【図１４】
2013235188.tif 000016